(57)【要約】 【課題】  フィードバック制御回路の信頼度を判定し、フィードバック制御回路が不所望の状態で駆動することを防止するディスク駆動装置を提供する【解決手段】  光源１７から発せられるレーザ光の出力をフィードバック制御可能なディスク駆動装置１０に、レーザ光を検出可能なＡＰＣ回路２３およびＬＰＣ回路２７と、フィードバック制御回路を有効および無効に切換え可能なマイクロコンピュータ１５とを備え、マイクロコンピュータ１５がフィードバック制御が無効な状態でＡＰＣ回路２３およびＬＰＣ回路２７の信頼度を判定可能に構成する。【選択図】      図１
2006012212.tif 000002
【特許請求の範囲】
【請求項１】
光源から発せられるレーザ光の出力をフィードバック制御するフィードバック制御回路を備えるディスク駆動装置であって、
前記フィードバック制御回路を有効にする第１のスイッチング状態と、前記フィードバック制御回路を無効にする第２のスイッチング状態とを切換え可能な制御装置とを備え、
前記制御装置は、第２のスイッチング状態のとき光源およびフィードバック制御回路の信頼度を判定する機能を有することを特徴とするディスク駆動装置。
【請求項２】
前記制御装置は、第２のスイッチング状態のとき、光源からレーザ光を所期出力よりも低く出力させることを特徴とする請求項１に記載のディスク駆動装置。
【請求項３】
前記フィードバック制御回路は、
光源から発せられたレーザ光の出力を直接モニタリングする第１のモニタ素子を用いてレーザ光の出力をフィードバック制御する第１のフィードバック制御回路と、
光源から発せられてレーザ光のディスクからの反射光を取り込む第２のモニタ素子を用いてレーザ光の出力をフィードバック制御する第２のフィードバック制御回路とを備えることを特徴とする請求項１〜３いずれか１つに記載のディスク駆動装置。
【請求項４】
前記制御装置は、第２のスイッチング状態のとき、第１および第２のフィードバック制御回路を無効にした状態で、第１および第２のモニタ素子のうちの少なくとも一方の信頼度を判定する機能を有することを特徴とする請求項４に記載のディスク駆動装置。
【請求項５】
前記制御装置が判定する信頼度を報知する報知手段をさらに含むことを特徴とする請求項１または２に記載のディスク駆動装置。
【発明の詳細な説明】
【技術分野】
【０００１】
本発明は、フィードバック制御回路を備えるディスク駆動装置に関する。
【背景技術】
【０００２】
近年、コンパクトディスク（Compact Disk:略称ＣＤ）およびデジタル多機能ディスク（Digital Versatile Disc;略称:ＤＶＤ）などのディスクに情報を書き込み可能なディスク駆動装置が実用に供されている。ディスク駆動装置は、ディスクの記録および再生の際、ディスクの反射率および環境など条件に応じてディスクに照射すべきレーザ光が異なるため、前記条件に応じたレーザ光を発光する必要がある。このようなレーザ光を発光可能な装置として、以下のような装置が実用に供されている（たとえば特許文献１参照）。
【０００３】
図４は、従来の技術のディスク駆動装置１の構成を概略示すブロック図である。ディスク駆動装置１には、オートパワーコントロール（Auto Power Control：略称ＡＰＣ）回路２およびレーザパワーコントロール（Laser Power Control：略称ＬＰＣ）回路３を含むフィードバック制御回路を含んで構成される。ＡＰＣ回路２は、フォーワードセンス
（Forward sense：略称ＦＳ）ダイオード４によって光源５から発せられるレーザ光を検出し、この検出されるレーザ光に基づいて光源から発せられるレーザ光の出力をフィードバック制御する。ＬＰＣ回路３は、フォトディテクタ６によってディスク７から反射される反射光を検出し、この検出される反射光に基づいてレーザ光の出力をフィードバック制御する。このようにＡＰＣ回路２およびＬＰＣ回路３がレーザ光の出力をフィードバック制御することによって、ディスク駆動装置１は、光源から発せられるレーザ光を、照射すべきディスク７に応じた出力に制御できる。
【０００４】
【特許文献１】特開平１１−１４４２５５号公報（第４−８頁、第１図）
【発明の開示】
【発明が解決しようとする課題】
【０００５】
従来の技術のディスク駆動装置１は、ＡＰＣ回路２およびＬＰＣ回路３によってレーザ光の出力を制御しているので、所望出力のレーザ光および所期の反射光が検出されるまでレーザ光の出力を増加させるようにフィードバック制御が繰返される。これによってフォトダイオードおよびＦＳダイオードなどが動作不良を起こし、ＡＰＣ回路２およびＬＰＣ回路３の少なくともいずれかが動作不良となると、以下のような問題が生じる。たとえばＬＰＣ回路３が不良の場合、ディスク駆動装置１は、ＬＰＣ回路３で所期の反射光が検出できないので、光源からのレーザ光の出力を増加させる。ＬＰＣ回路が動作不良のままでディスク駆動装置１が使用されると、フィードバック制御を繰返し、レーザ光の出力を増加し続け、過剰な出力のレーザ光が出力される。これによって光源の温度が上昇し、光源を構成する半導体レーザ素子が熱飽和する。このように熱飽和すると、光源１７は、損傷し、レーザ光の出力を低下させ、さらに温度上昇すると破壊する。このようにディスク駆動装置１は、ＬＰＣ回路３の不良の判定ができず、光源が損傷または破壊してしまう。同様にＡＰＣ回路２が不良の場合も、レーザ光の出力が増加し続け、光源の損傷または破壊が生じる。
【０００６】
本発明の目的は、フィードバック制御回路の信頼度を判定し、フィードバック制御回路が不所望の状態で駆動することを防止するディスク駆動装置を提供することである。
【課題を解決するための手段】
【０００７】
本発明は、光源から発せられるレーザ光の出力をフィードバック制御するフィードバック制御回路を備えるディスク駆動装置であって、
前記フィードバック制御回路を有効にする第１のスイッチング状態と、前記フィードバック制御回路を無効にする第２のスイッチング状態とを切換え可能な制御装置とを備え、
前記制御装置は、第２のスイッチング状態のとき光源およびフィードバック制御回路の信頼度を判定する機能を有することを特徴とするディスク駆動装置である。
【０００８】
本発明に従えば、光源からレーザ光を発し、このレーザ光の出力をフィードバック制御回路によってフィードバック制御することができる。制御手段は、前記フィードバック制御回路を有効にする第１のスイッチング状態と、前記フィードバック制御回路を無効にする第２のスイッチング状態を切換えることができる。制御装置は、第２スイッチング状態で、光源およびフィードバック制御回路の信頼度を判定することができる。
【０００９】
また本発明は、前記制御装置は、第２のスイッチング状態のとき、光源からレーザ光を所期出力よりも低く出力させることを特徴とする。
【００１０】
本発明に従えば、第２スイッチング状態のとき、光源からレーザ光を所期出力より低く出力することができる。
【００１１】
また本発明は、前記フィードバック制御回路は、
光源から発せられたレーザ光の出力を直接モニタリングする第１のモニタ素子を用いてレーザ光の出力をフィードバック制御する第１のフィードバック制御回路と、
光源から発せられてレーザ光のディスクからの反射光を取り込む第２のモニタ素子を用いてレーザ光の出力をフィードバック制御する第２のフィードバック制御回路とを備えることを特徴とする。
【００１２】
本発明に従えば、第１のフィードバック制御回路は、光源から発せられるレーザ光の出力を直接モニタリングする第１モニタ素子を用いてレーザ光の出力をフィードバック制御することができる。第２のフィードバック制御回路は、ディスクからの反射光を取り込む第２のモニタ素子を用いてレーザ光の出力をフィードバック制御することができる。
【００１３】
また本発明は、前記制御装置は、第２のスイッチング状態のとき、第１および第２のフィードバック制御回路を無効にした状態で、第１および第２のモニタ素子のうちの少なくとも一方の信頼度を判定する機能を有することを特徴とする。
【００１４】
本発明に従えば、制御装置は、第２のスイッチング状態のとき、第１および第２のフィードバック制御回路を無効にする状態で、第１または第２のモニタ素子の信頼度を判定することができる。
【００１５】
また本発明は、前記制御装置が判定する信頼度を報知する報知手段をさらに含むことを特徴とする。
本発明に従えば、制御手段が判定した信頼度を報知することができる。
【発明の効果】
【００１６】
本発明によれば、フィードバック制御回路を有効にする第１のスイッチング状態と、フィードバック制御回路を無効にする第２のスイッチング状態とを切換え可能であり、第２のスイッチング状態のときに光源およびフィードバック制御回路の信頼度を判定する。このようにフィードバック制御回路が無効な状態のときに、光源およびフィードバック制御回路の信頼度を判定するので、光源およびフィードバック制御回路の信頼度を客観的に判定することができる。これによって前記信頼度に基づいて第１のスイッチング状態と第２のスイッチング状態とを切換え可能に構成すると、確実にフィードバック制御が可能な状態でフィードバック制御回路を作動させることができるとともに、光源が劣化および破壊することなくレーザ光を発光できるディスク駆動装置を構成することができる。つまりフィードバック制御回路が不所望の状態で駆動すること防止し、かつ光源の劣化および破壊を防止可能なディスク駆動装置を実現することができる。
【００１７】
本発明によれば、第２のスイッチング状態のとき、光源から発せられるレーザ光は、所期出力より低い出力で発光する。これによってフィードバック制御回路が無効である第２のスイッチング状態であっても、レーザ光の出力が前記所期出力より小さいので光源が破損および破壊することを抑制できる。これによって光源およびフィードバック制御回路の信頼度の判定を実現することができる。逆に言えば、光源およびフィードバック制御回路の信頼度の判定を実現し得る必要最小限のレーザ光の出力でもって光源からレーザ光を発すれば足りる。つまり光源の破損および破壊を抑制できる。
【００１８】
本発明によれば、第１のフィードバック制御回路は、光源から発せられるレーザ光を直接モニタリングする第１のモニタ素子を用いてレーザ光の出力をフィードバック制御できるので、光源から発せられるレーザ光を所期出力に制御することができる。これによってディスク駆動装置は、光源から過剰な出力のレーザ光が発せられることを抑制できる。つまり光源から過剰な出力のレーザ光を発することによって生じる光源の破損および破壊を抑制できる。また第２のフィードバック制御回路は、レーザ光のディスクからの反射光を取り込む第２のモニタ素子を用いてレーザ光の出力をフィードバック制御できるので、第２のモニタ素子に取り込まれる反射光を所期反射光に制御することができる。これによってディスク駆動装置は、所期の反射光を取り込むことができ、ディスクを再生または記録する際に所期機能を確保することができる。このように第１および第２のフィードバック制御回路を備えることによって、ディスクを再生および記録する際に所期機能を確保するとともに、光源の破損および破壊が抑制できる。
【００１９】
本発明によれば、第２のスイッチング状態のとき、第１および第２のフィードバック制御回路を無効にする状態で、第１および第２のモニタ素子のうちの少なくとも一方の信頼度を判定することができる。これによって第１および第２のモニタ素子のうちの少なくとも一方の信頼度を客観的に判定することができる。仮に第１のモニタ素子の信頼度の判定が可能である場合、この信頼度に基づいて第１および第２スイッチング状態を切換え可能に構成すると、第１のモニタ素子が確実に作動する状態で第１のフィードバック制御回路が駆動可能なディスク駆動装置を構成することができる。つまり第１のモニタ素子が不所望な状態で第１のフィードバック制御回路が作動することを防止できる。また信頼度によって、第１のモニタ素子が不所望な状態であることがわかるので、第２のモニタ素子を併用して第１のフィードバック制御回路を作動させるようにディスク駆動装置を構成することもできる。このように第１および第２のモニタ素子のうち少なくとも一方の信頼度を客観的に判定することによって、第１および第２のフィードバック制御回路が不所望な動作となることを防止できる。
【００２０】
本発明によれば、信頼度を報知手段によって報知することができる。これによって利用者にフィードバック制御回路の信頼度を知らせることができる。これによってフィードバック制御回路が故障などの不所望の状態にあることを知らせることができ、フィードバック制御回路を修理または交換すべきことを報知できる。
【発明を実施するための最良の形態】
【００２１】
図１は、本発明の実施の一形態であるディスク駆動装置１０の構成を概略示すブロック図である。図２は、ディスク駆動装置１０に含まれる光ピックアップ１１の一部を拡大して示す平面図である。ディスク駆動装置１０は、コンパクトディスク（Compact Disk:略称ＣＤ）およびデジタル多機能ディスク（Digital Versatile Disc;略称:ＤＶＤ）などの光ディスク１２（以下では、「光ディスク１２」を単に「ディスク１２」と称する場合がある。）を駆動可能に構成され、このディスク１２に情報を記録し、記録される情報を再生可能に構成される。ディスク駆動装置１０には、光ピックアップ１１とリードオンリーメモリ１３（Read Only Memory：略称ＲＯＭ）と信号処理部１４とマイクロコンピュータ（略称マイコン）１５と表示部１６とが含まれる。
【００２２】
光ピックアップ１１は、ディスク１２に情報を記録し、ディスク１２の情報を読出し可能に構成される。光ピックアップ１１には、基本的に、光源１７と駆動部１８とフォーワードセンス（Forward sense：略称ＦＳ）ダイオード１９とフォトディテクタ２０と光学系素子２１と信号検出部２２とが含まれる。光源１７は、レーザ光を発光可能に構成される。光源１７は、たとえば半導体レーザ素子によって実現され、ディスク１２に対応するレーザ光を発光可能に構成される。駆動部１９は、光源１７を駆動させてディスク１２に情報を記録し、ディスク１２に記憶される情報を再生可能に構成される。
【００２３】
第１のモニタ素子であるＦＳダイオード１９は、光源１７から発せられるレーザ光を直接モニタリング可能、すなわち受光可能に構成される。ＦＳダイオード１９は、フォトダイオードなどの受光素子によって構成される。ＦＳダイオード１９は、駆動部１８と電気的に接続される。ＦＳダイオード１９は、駆動部１８とともにオートパワーコントロール（Auto Power Control：略称ＡＰＣ）回路を構成する。検出手段であり第１のフィードバック制御回路であるＡＰＣ回路２３は、ＦＳダイオード１９で受光するレーザ光に基づいて、光源１７から発せられるレーザ光の出力をフィードバック制御可能に構成される。換言すると、レーザの出力を調整することによって、光源１７からレーザ光の出力増加に伴う光源１７の温度が上昇をフィードバック制御可能に構成される。
【００２４】
光学系素子２１は、光源１７から発せられるレーザ光をビームスプリッタ２４によって２つに分光し、一方のレーザ光を対物レンズ２５を介してディスク１２に照射し、他方のレーザ光をＦＳダイオード１９に照射可能に構成される。さらに光学系素子２１は、光源１７から発せられるレーザ光のディスク１２からの反射光（以下では単に「反射光」と称する場合がある。）を対物レンズ２５およびビームスプリッタ２４を介してフォトディテクタ２０に照射可能に構成される。
【００２５】
第２のモニタ素子であるフォトディテクタ２０は、反射光を取り込み可能に構成される。フォトディテクタ２０は、たとえば複数の受光素子によって構成され、反射光を受光することによって反射光を取り込み可能に構成される。フォトディテクタ２０は、信号検出部２６と電気的に接続される。フォトディテクタ２０は、反射光に基づいてフォーカス信号およびトラッキング信号を図示しないサーボ機構に伝送可能に構成され、このサーボ機構によって光ピックアップのフォーカスおよびトラッキングを制御可能に構成される。
【００２６】
信号検出部２６は、フォトディテクタ２０が取り込む反射光の受光量に基づいて受光量のピーク値を検出可能に構成される。信号検出部２６は、たとえば図示しない減衰器とハイパスフィルタと加算器とピークホールド回路と含んで構成される。減衰器は、フォトディテクタ２０が取り込む反射光の受光量に基づいて信号を所定のレベルまで減衰可能に構成される。ハイパスフィルタは、前記信号の高周波成分を取出し可能に構成される。加算器は、減衰器によって減衰される信号と、ハイパスフィルタによって取出される信号の高周波成分とを加算可能に構成される。ピークホールド回路は、減衰器によって減衰される信号と、ハイパスフィルタによって取出される信号の高周波成分とを加算して得られる信号のピーク値を検出可能に構成される。ピーク値とは、減衰される信号と信号の高周波成分とを加算して得られる信号の最大値であり、本実施の形態で検出するピーク値は、フォトディテクタ２０が受光する反射光の受光量の最大値と同義である。またピーク値は、ディスク駆動装置１０のフォーカスがディスク１２に略合致する場合に最大となる。信号検出部２６は、駆動部１８と電気的に接続される。
【００２７】
フォトディテクタ２０と信号検出部２６とは、駆動部１８とともにレーザパワーコントロール（Laser Power Control：略称ＬＰＣ）回路２７を構成する。検出手段であり第２のフィードバック制御回路であるＬＰＣ回路２７は、フォトディテクタ２０に取り込まれる反射光に基づいて光源１７から発せられるレーザ光の出力をフィードバック制御可能に構成される。このように駆動部１８は、ＦＳダイオード１９とともにＡＰＣ回路２３を構成し、フォトディテクタ２０および信号検出部２６とともにＬＰＣ回路２７を構成して、光源１７から発せられるレーザ光を所期出力で出力するようにフィードバック制御可能に構成される。以下では駆動部１８の具体的な構成について説明する。
【００２８】
駆動部１８は、ストラテジ回路を内蔵するストラテジ内蔵方式のレーザドライバである。駆動部１８には、インターフェイス２８と制御用レジスタ２９と検査用レジスタ３０とＡＰＣ回路アナログディジタルコンバータ（略称ＡＤＣ）部３１とＡＰＣ回路レジスタ３２とＬＰＣ回路ＡＤＣ部３３とＬＰＣ回路レジスタ３４と切換え部３５と切換え用レジスタ３６とＬＰＣ回路加算器３７とＡＰＣ回路加算器３８と電流ディジタルアナログコンバータ（略称ＤＡＣ）部３９とデータ処理部４０とが含まれる。インターフェイス２８は、ＲＯＭ１３および信号処理部１４と電気的に接続されている。またインターフェイス２８には、制御用レジスタ２９と検査用レジスタ３０とＡＰＣ回路レジスタ３１とＬＰＣ回路レジスタ３４と切換え用レジスタ３６とが電気的に接続される。
【００２９】
制御用レジスタ２９は、ディスク１２に情報を記録するおよびディスク１２から情報を再生する際に、光源１７から発せられるべきレーザ光の所期出力（以下ではこの所期出力の値を「目標値」と称する場合がある。）を記憶し保持可能に構成される。制御用レジスタ２９は、インターフェイス２８を介してマイコン１５から目標値を取得し、記憶可能に構成される。制御用レジスタ２９は、切換え部３５に電気的に接続される。制御用レジスタ２９は、たとえばElectrically Erasable Programmable Read Only Memory（略称ＥＥＰＲＯＭ）によって構成される。
【００３０】
検査用レジスタ３０は、ＡＰＣ回路２３、ＬＰＣ回路２７および光源１７の信頼度を判定する際に、光源１７から発せられるべきレーザ光の出力（以下ではこの出力の値を「テスト値」と称する場合がある。）を記憶し保持可能に構成される。検査用レジスタ３０は、マイコン１５から伝送されるテスト値をインターフェイス２８を介して取得し、記憶可能に構成される。検査用レジスタ３０は、切換え部３５に電気的に接続される。検査用レジスタ３０は、たとえばElectrically Erasable Programmable Read Only Memory（略称ＥＥＰＲＯＭ）によって構成される。
【００３１】
ＡＰＣ回路ＡＤＣ部３１は、アナログ信号をディジタル信号に変換可能に構成される。ＡＰＣ回路ＡＤＣ部３１には、ＦＳダイオード１９と切換え部３５とＡＰＣ回路レジスタ３２とが電気的に接続される。ＡＰＣ回路レジスタ３２は、ＦＳダイオード１９によって受光されるレーザ光の受光量（以下では、単に「ＦＳダイオード値」と称する場合がある。）を取得し、かつ記憶し保持可能に構成される。ＡＰＣ回路レジスタ３２は、たとえばElectrically Erasable Programmable Read Only Memory（略称ＥＥＰＲＯＭ）によって構成される。
【００３２】
ＬＰＣ回路ＡＤＣ部３３は、アナログ信号をディジタル信号に変換可能に構成される。ＬＰＣ回路ＡＤＣ部３３には、信号検出部２６と切換え部３５とＬＰＣ回路レジスタ３４とが電気的に接続される。ＬＰＣ回路レジスタ３４は、信号検出部２６によって検出されるフォトディテクタ２０が取り込む反射光の受光量のピーク値（以下では、単に「フォトディテクタ値」と称する場合がある。）を取得し、かつ記憶し保持可能に構成される。ＬＰＣ回路レジスタ３４は、たとえばElectrically Erasable Programmable Read Only
Memory（略称ＥＥＰＲＯＭ）によって構成される。
【００３３】
切換え部３５は、ＬＰＣ回路加算器３７とＡＰＣ回路加算器３８と電気的に接続される。切換え部３５には、制御切換え部３５ａとＡＰＣ回路切換え部３５ｂと、ＬＰＣ回路切換え部３５ｃとが含まれる。制御切換え部３５ａは、制御用レジスタ２９と検査用レジスタ３０とＬＰＣ回路加算器３７と電気的に接続される。制御切換え部３５ａは、制御用レジスタ２９および検査用レジスタ３０のいずれか一方がＬＰＣ回路加算器３７と電気的に接続するように切換え可能に構成される。つまり制御切換え部３５ａは、制御用レジスタ２９とＬＰＣ回路加算器３７とが電気的に接続するスイッチング状態（以下では単に「フィードバック制御状態」と呼ぶ場合がある。）と検査用レジスタ３０とＬＰＣ回路加算器３７とが電気的に接続するスイッチング状態（以下では単に「検査状態」と呼ぶ場合がある。）とを切換え可能に構成される。ＡＰＣ回路切換え部３５ｂは、ＡＰＣ回路ＡＤＣ部３１とＡＰＣ回路加算器３８と電気的に接続される。ＡＰＣ回路切換え部３５ｂは、ＡＰＣ回路ＡＤＣ部３１とＡＰＣ回路加算器３８とが電気的な接続するスイッチング状態（以下単に「ＡＰＣ回路接続状態」と呼ぶ場合がある。）と、ＡＰＣ回路ＡＤＣ部３１とＡＰＣ回路加算器３８とが電気的に非接続状態となるスイッチング状態（以下単に「ＡＰＣ回路非接続状態」と呼ぶ場合がある。）とを切換え可能に構成される。ＬＰＣ回路切換え部３５ｃは、ＬＰＣ回路ＡＤＣ部３３とＬＰＣ回路加算器３７と電気的に接続される。ＬＰＣ回路切換え部３７は、ＬＰＣ回路ＡＤＣ部３３とＬＰＣ回路加算器３７とが電気的に接続するスイッチング状態（以下単に「ＬＰＣ回路接続状態」と呼ぶ場合がある。）と、ＬＰＣ回路ＡＤＣ部３３とＬＰＣ回路加算器３７とが電気的に非接続状態となるスイッチング状態（以下単に「ＬＰＣ回路非接続状態」と呼ぶ場合がある。）とを切換え可能に構成される。
【００３４】
制御切換え部３５ａ、ＡＰＣ回路切換え部３５ｂおよびＬＰＣ回路切換え部３５ｃは、たとえばロジックゲートによってバスセレクタを構成することによって各状態の切換えを実現することができる。ただし制御切換え部３５ａ、ＡＰＣ回路切換え部３５ｂおよびＬＰＣ回路切換え部３５ｃは、ロジックゲートによって構成されるものに限定されず、トランジスタを用いたスイッチング機構であってもよく、また機械式のスイッチング機構であってもよい。
【００３５】
切換え用レジスタ３６は、切換え部３５と電気的に接続される。切換え用レジスタ３６は、切換え部３５が切換えるべきスイッチング状態に関するスイッチング情報を取得し、かつ記憶し保持可能に構成される。切換え部３５は、このスイッチング情報に基づいて、制御切換え部３５ａ、ＡＰＣ回路切換え部３５ｂおよびＬＰＣ回路切換え部３５ｃのスイッチング状態を切換え可能に構成される。
【００３６】
ＬＰＣ回路加算器３７は、いわゆる加算器であり、入力される複数のディジタル信号を加算し出力可能に構成される。ＬＰＣ回路加算器３７には、制御切換え部３５ａとＬＰＣ回路切換え部３５ｂとＡＰＣ回路加算器３８とが電気的に接続される。ＬＰＣ回路加算器３７は、ＬＰＣ回路切換え部３５ｃから入力されるディジタル信号を反転させて、制御切換え部３５ａから入力されるディジタル信号に加算し、この加算される値をＡＰＣ回路加算器３８に出力可能に構成される。具体的には、ＬＰＣ回路加算器３７は、図示しない減算入力端子にＬＰＣ回路切換え部３５ｃが電気的に接続され、図示しない加算入力端子に制御切換え部３５ｃが電気的に接続され、図示しない出力端子にＡＰＣ回路加算器３８が電気的に接続される。
【００３７】
ＡＰＣ回路加算器３８は、いわゆる加算器であり、入力される複数のディジタル信号を加算し出力可能に構成される。ＡＰＣ回路加算器３８には、ＡＰＣ回路切換え部３５ｂとＬＰＣ回路加算器３７と電流ＤＡＣ部３９とが電気的に接続される。ＡＰＣ回路加算器３８は、ＡＰＣ回路切換え部３５ｂから入力されるディジタル信号を反転させて、ＬＰＣ回路加算器３７から入力されるディジタル信号に加算し、この加算される値を電流ＤＡＣ部３９に出力可能に構成される。具体的には、ＡＰＣ回路加算器３８は、図示しない減算入力端子にＡＰＣ回路切換え部３５ｂが電気的に接続され、図示しない加算入力端子にＬＰＣ回路加算器３８が電気的に接続され、図示しない出力端子に電流ＤＡＣ部３９が電気的に接続される。
【００３８】
電流ＤＡＣ部３９は、ディジタル信号をアナログ信号に変換可能に構成される。電流ＤＡＣ部３９には、光源１７とデータ処理部４０と図示しない商用電源とが電気的に接続される。電流ＤＡＣ部３９は、ＡＰＣ回路加算器３８から入力されるディジタル信号をアナログ信号に変換可能に構成される。換言すると、電流ＤＡＣ部３９は、ＡＰＣ回路加算器３８から入力されるディジタル信号に基づいて、商用電源を用いて光源１７が駆動可能な電流を出力可能に構成される。
【００３９】
データ処理部４０は、信号処理部１４と電気的に接続される。データ処理部４０は、いわゆるストラテジ回路であり、信号処理部１４から基準クロック信号と記録情報を取得可能に構成される。基準クロック信号とは、ディスク１２に情報を記録する際のクロック信号であり、記録情報は、ディスク１２に記録すべき情報である。データ処理部４０は、基準クロック信号に基づいて記録情報をディスク１２に記録する際に、記録情報に応じてディスク１２に形成すべきピットを示す記録信号に変換可能に構成される。
【００４０】
電流ＤＡＣ部３９は、ディスク１２に情報を記録する際、データ処理部４０からの入力される記録信号に基づいてＡＰＣ回路加算器３８から入力されるディジタル信号をアナログ信号に変換可能に構成される。換言すると、電流ＤＡＣ部３９は、ディスク１２に情報を記録する際、ＡＰＣ回路加算器３８から入力されるディジタル信号と記録信号とに基づいて、商用電源を用いて光源１７が駆動可能な電流を出力可能に構成される。
【００４１】
このような構成を有する駆動部１８は、ＦＳダイオード１９とＡＰＣ回路ＤＡＣ部３１とＡＰＣ回路レジスタ３２とＡＰＣ回路切換え部３５ｂとＡＰＣ回路加算器３８とによってＡＰＣ回路２３を構成し、フォトディテクタ２０と信号検査部２７とＬＰＣ回路ＤＡＣ部３３とＬＰＣ回路レジスタ３４とＬＰＣ回路切換え部３５ｂとＬＰＣ回路加算器３７とによってＬＰＣ回路２７を構成する。このようにして構成されるＡＰＣ回路２３は、ＦＳダイオード１９によって受光するレーザ光の受光量に基づいて、光源１７から発せられるレーザ光の出力をフィードバック制御可能に構成される。またＬＰＣ回路２７は、フォトディテクタ２０によって取り込まれる反射光の受光量に基づいて、光源１７から発せられるレーザ光の出力をフィードバック制御可能に構成される。このようにして駆動部１８とＦＳダイオード１９とフォトディテクタ２０とが協働して、光源１７から発せられるレーザ光の出力をフィードバック制御可能に構成される。
【００４２】
ＲＯＭ１３は、レーザ出力調整データを記憶保持可能に構成される。レーザ光出力調整データとは、光源１７から発せられるレーザ光の出力を所期出力に調整するためのデータである。レーザ光出力調整データは、たとえばディスク駆動装置１０毎に異なる駆動部１８および光源１７の特性によって生じるレーザ光の出力のばらつきを補正し、所期出力のレーザ光を発光させるためのデータである。また、ＲＯＭ１３は、駆動部１８の状態に応じたレーザ出力調整データを記憶保持可能に構成される。駆動部１８の状態とは、ＡＰＣ回路２３およびＬＰＣ回路２７の動作状態と同義である。ＲＯＭ１３は、信号処理部１４と電気的に接続される。
【００４３】
信号処理部１４は、マイコン１５に電気的に接続される。信号処理部１４には、通信制御部４１と信号生成部４２とが含まれる。通信制御部４１には、インターフェイス２８、ＲＯＭ１３およびマイコン１５とが電気的に接続される。通信制御部４１は、ＲＯＭ１３とマイコン１５との通信およびマイコン１５とインターフェイス２８との通信を制御可能に構成される。信号生成部４２には、データ処理部４０とマイコン１５とが電気的に接続される。信号生成部４２は、基準クロック信号を生成し、記録情報を記憶可能に構成される。具体的には、信号生成部４２には、基準クロック信号を生成可能な図示しない水晶振動子と記録情報を記録可能な図示しないハードディスク（Hard Disk：略称ＨＤ）とが含まれる。これによって信号生成部４２は、基準クロック信号を生成し、記録情報を記録可能に構成される。
【００４４】
マイコン１５は、中央演算処理装置（Central Processing Unit：略称ＣＰＵ）とランダムアクセスメモリ（Random Access Memory：略称ＲＡＭ）とを含んで構成される。マイコン１５には、信号処理部１４と表示部１６とが電気的に接続される。マイコン１５は、ディスク駆動装置１０の各構成部を制御可能に構成される。マイコン１５は、信号処理部１４を介してＲＯＭ１３に電気的に接続され、ＲＯＭ１３からレーザ光出力調整データを取得する。このレーザ光出力調整データに基づいて、マイコン１５は、目標値およびテスト値を算出する。テスト値は、目標値より小さく光源１７が破損および破壊することがない出力値である。
【００４５】
マイコン１５は、インターフェイス２８を介してＦＳダイオード値を取得し、ＡＰＣ回路２３の信頼度を判定可能に構成される。ＡＰＣ回路２３の信頼度とは、ディスク駆動装置２１０を駆動する場合に、ＡＰＣ回路２３が所期機能を発揮可能か否かを示す情報であり、所期機能を確保可能である場合、ＡＰＣ回路２３の信頼度は「正常」を示し、所期機能を確保不可能である場合、ＡＰＣ回路２３の信頼度は「異常」を示す。以下ではＡＰＣ回路２３の信頼度を単に「ＡＰＣ回路信頼度」と称する場合がある。マイコン１５は、たとえばＦＳダイオード値がＦＳダイオード所定値以上か否かを判定することによって、ＡＰＣ回路信頼度を判定可能に構成される。ＦＳダイオード所定値は、テスト値に基づいて算出される値である。ＦＳダイオード所定値は、光源１７からレーザ光がテスト値で発せられる場合のＦＳダイオード１９が検出すべきＦＳダイオード値である。
【００４６】
またマイコン１５は、インターフェイス２８を介してフォトディテクタ値を取得し、ＬＰＣ回路２７の信頼度を判定可能に構成される。ＬＰＣ回路２７の信頼度とは、ディスク駆動装置１０を駆動する場合に、ＬＰＣ回路２７が所期機能を発揮可能か否かを示す情報であり、所期機能を確保可能である場合、ＬＰＣ回路２７の信頼度は「正常」を示し、所期機能を確保不可能である場合、ＬＰＣ回路の信頼度は「異常」を示す。マイコン１５は、たとえばフォトディテクタ値がフォトディテクタ所定値以上か否かを判定することによって、ＬＰＣ回路信頼度を判定可能に構成される。フォトディテクタ所定値は、テスト値に基づいて算出される値である。フォトディテクタ所定値は、光源１７からレーザ光がテスト値で発せられる場合のフォトディテクタ２０が検出すべきフォトディテクタ値である。
【００４７】
マイコン１５は、ＦＳダイオード値およびフォトディテクタ値に基いて光源１７の信頼度を判定可能に構成される。具体的には、マイコン１５は、ＦＳダイオード値およびフォトディテクタ値に基いて、光源１７の信頼度を判定する。光源１７の信頼度は、マイコン１５がＦＳダイオード値およびフォトディテクタ値の少なくとも一方を検出すると、「正常」を示し、マイコン１５がＦＳダイオード値およびフォトディテクタ値のいずれも検出できない場合、「異常」を示す。ディスク駆動装置１０では、マイコン１５と信号処理部１４とＲＯＭ１３とインターフェイス２８と切換え用レジスタ３６と切換え部３５とによって制御装置を構成する。
【００４８】
表示部１６は、マイコン１５で判定される光源１７の信頼度、ＡＰＣ回路信頼度およびＬＰＣ回路信頼度を取得し表示可能に構成される。表示部１６は、たとえばディスプレイによって構成され、前記信頼度を表示することによって利用者に報知可能に構成される。ただし光源１７の信頼度、ＡＰＣ回路信頼度およびＬＰＣ回路信頼度を利用者に報知する手段としては、表示部１６によって表示するものに限定されず、発光ダイオードを用いて光によって利用者に報知してもよく、スピーカなどを用いて音によって利用者に報知してもよい。
【００４９】
このような構成を含むディスク駆動装置１０は、載置されるディスク１２に情報を記録およびディスク１２の情報を再生可能に構成される。またディスク駆動装置１０は、ＬＰＣ回路２７およびＡＰＣ回路２３によって光源１７から発せられるレーザ光の出力をフィードバック制御可能に構成される。以下では、このような構成を有するディスク駆動装置１０の動作について説明する。
【００５０】
図３は、ディスク駆動装置１０の動作を示すフローチャートである。ディスク駆動装置１０は、電源が入れられるとステップａ０からステップａ１へ移行する。検査モード切換え工程であるステップａ１は、制御切換え部３５によってスイッチング状態を検査モードに切換える工程である。第２のスイッチング状態である検査モードとは、制御切換え部３５ａによって検査状態に、ＡＰＣ回路切換え部３５ｂよってＡＰＣ回路非接続状態に、ＬＰＣ回路切換え部３５によってＬＰＣ回路非接続状態に切換えられたスイッチング状態である。ステップａ１では、マイコン１５が、通信制御部４１およびインターフェイス２８を介して、切換え部３５を検査モードに切換えるべき第１のスイッチング情報が含まれる第１制御信号が切換え用レジスタ２６に伝送する。切換え用レジスタ２６は、第１制御信号を取得すると、第１のスイッチング情報を記憶保持する。切換え部３５は、切換え用レジスタ３６に記憶されるスイッチング情報に基いてスイッチング状態を検査モードに切換える、または検査モードの状態を維持する。切換え部３５によってスイッチング状態が検査モードになると、ステップａ１からステップａ２へ移行する。
【００５１】
テスト値設定工程であるステップａ２は、検査モードの際に光源１７が発するべきレーザ光の出力であるテスト値を検査用レジスタ３０に記憶保持させる工程である。ステップａ２では、マイコン１５がＲＯＭ１３からレーザ出力調整データを取得し、テスト値を算出する。マイコン１５は、算出されたテスト値を含むテスト値制御信号を通信制御部４１およびインターフェイス２８を介して検査用レジスタ３０に伝送される。検査用レジスタ３０は、テスト値制御信号を取得し、テスト値を記憶し保持する。本実施の形態では、ステップａ１とステップａ２とは、別々に行われているけれども、略同時に行われてもよい。またステップａ１とステップａ２とが入れ替わってもよくこの順序に限定されない。検査用レジスタ３０にテスト値が記憶保持されると、ステップａ２からステップａ３へ移行する。
【００５２】
レーザ光発光工程であるステップａ３は、検査用レジスタ３０に記憶されるテスト値に基づいて、光源１７からレーザ光を発する工程である。ステップａ３では、検査用レジスタ３０に記憶されるテスト値を含むテスト信号がＬＰＣ回路加算器３７およびＡＰＣ回路加算器３８を介して電流ＤＡＣ部３９に伝送される。電流ＤＡＣ部３９は、テスト信号に基づいて、光源１７が出力すべきレーザ光を発光させるための電流である第１出力信号を出力する。第１出力信号は、光源１７に伝送される。光源１７は、第１出力信号に基づいてテスト値のレーザ光を発する。光源１７からレーザ光が発せられると、ステップａ３からステップａ４およびステップａ５ヘ移行する。
【００５３】
ＦＳダイオード値検出工程であるステップａ４は、ＦＳダイオード値を検出し、ＡＰＣ回路レジスタ３２にＦＳダイオード値を記憶保持させる工程である。ステップａ４では、ＦＳダイオード１９によってＦＳダイオード値を検出して、このＦＳダイオード値を含むＡＰＣ回路信号をＡＰＣ回路ＡＤＣ部３１を介してＡＰＣ回路レジスタ３２に伝送する。ＡＰＣ回路レジスタ３２は、このＡＰＣ回路信号に基づいてＦＳダイオード値を記憶し保持する。たとえば断線などによってＡＰＣ回路２３が故障している場合、ＡＰＣ回路レジスタ３２には、受光量が０であることを示すＡＰＣ回路信号が伝送される。またＡＰＣ回路２３が故障せず、駆動可能である場合、ＡＰＣ回路レジスタ３２には、ＦＳダイオード１９が受光する受光量を示すＡＰＣ回路信号がＡＰＣ回路レジスタ３２に伝送される。ＡＰＣ回路レジスタ３２は、このようにして伝送されるＦＳダイオード値を記憶し保持する。ＡＰＣ回路レジスタ３２が、ＦＳダイオード値を記憶し保持すると、ステップａ４からステップａ６ヘ移行する。
【００５４】
フォトディテクタ値検出工程であるステップａ５は、フォトディテクタ値を検出し、ＬＰＣ回路２７にフォトディテクタ値を記憶保持させる工程である。ステップａ５は、ステップａ４と略同時に進行する、すなわち並列的に行われる。本実施の形態では、「略同時」には、同時が含まれる。ただしステップａ５は、ステップａ４と略同時に進行するものに限定されず、ステップａ４より先または後に行われる、すなわち直列的に行われてもよい。ステップａ５では、ディスク１２によって反射される反射光に基づいてフォトディテクタ２０および信号検出部２６によってフォトディテクタ値を検出し、このフォトディテクタ値を含むＬＰＣ回路信号をＬＰＣ回路ＡＤＣ部３３を介してＬＰＣ回路レジスタ３４に伝送する。ＬＰＣ回路レジスタ３４は、このＬＰＣ回路信号に基づいてフォトディテクタ値を記憶し保持する。たとえばフォトディテクタ２０および信号検出部２６のうちのいずれかが故障しているまたはＬＰＣ回路２７が断線している場合、ＬＰＣ回路レジスタ３４には、受光量が０であることを示すＬＰＣ回路信号が伝送される。またＬＰＣ回路２７が故障せず、駆動可能である場合、ＬＰＣ回路レジスタ３４には、フォトディテクタ値を含むＬＰＣ回路信号がＬＰＣ回路レジスタ３４に伝送される。ＬＰＣ回路レジスタ３４は、このようにして伝送されるフォトディテクタ値を記憶し保持する。ＬＰＣ回路レジスタ３４がフォトディテクタ値を記憶し保持すると、ステップａ５からステップａ６へ移行する。
【００５５】
光源信頼度判定工程であるステップａ６は、光源１７の信頼度を判定する工程である。ステップａ６では、マイコン１５がインターフェイス２８および通信制御部４１を介してＬＰＣ回路レジスタ３４に記憶保持されるフォトディテクタ値およびＡＰＣ回路レジスタ３２に記憶保持されるＦＳダイオード値を取得する。マイコン１５は、このフォトディテクタ値とＦＳダイオード値とに基づいて光源１７の信頼度を判定する。光源１７の信頼度が「正常」であると判定されると、ステップａ７へ移行する。光源１７の信頼度が「異常」あると判定されると、ステップａ１３ヘ移行する。
【００５６】
ＬＰＣ回路信頼度判定工程であるステップａ７は、ＬＰＣ回路信頼度を判定する工程である。ステップａ７では、マイコン１５が取得するフォトディテクタ値に基づいてＬＰＣ回路信頼度を判定する。本実施の形態では、フォトディテクタ値がフォトディテクタ所定値以上である場合、マイコン１５は、ＬＰＣ回路２７が「正常」であると判定しステップａ８ヘ移行する。またフォトディテクタ値が予め記憶されるフォトディテクタ所定値未満である場合、マイコン１５はＬＰＣ回路２７が「異常」であると判定しステップａ１７ヘ移行する。
【００５７】
ＡＰＣ回路信頼度判定工程であるステップａ８は、ＡＰＣ回路信頼度を判定する工程である。ステップａ８では、マイコン１５が取得するＦＳダイオード値に基づいてＡＰＣ回路信頼度を判定する。本実施の形態では、ＦＳダイオード値がＦＳダイオード所定値以上である場合、マイコン１５は、ＡＰＣ回路２３が「正常」であると判定しステップａ９ヘ移行する。またＦＳダイオード値がＦＳダイオード所定値未満であると判定すると、マイコン１５はＡＰＣ回路２３が「異常」であると判定しステップａ２０ヘ移行する。本実施の形態では、ステップａ７とステップａ８とが、別々の工程で行われているけれども必ずしもこのようなものに限定されない。たとえば、ステップａ７とステップａ８とが同時に行われてもよい。
【００５８】
正常報知工程であるステップａ９は、光源１７、ＡＰＣ回路２３およびＬＰＣ回路２７が正常であることを報知する工程である。ステップａ９では、マイコン１５が光源１７、ＡＰＣ回路２３およびＬＰＣ回路２７が正常であることを示す正常状態信号を表示部１６に伝送する。表示部１５は、正常状態信号に基づいて利用者に光源１７、ＡＰＣ回路２３およびＬＰＣ回路２７が「正常」であることを報知する。本実施の形態では、表示部１６に「正常」であることを表示して利用者に光源１７、ＡＰＣ回路２３およびＬＰＣ回路２７が正常であることを報知する。表示部１６に「正常」であることが表示されると、ステップａ９からステップａ１０ヘ移行する。
【００５９】
第１制御モード切換え工程であるステップａ１０は、切換え部３５を第１制御モードに切換える工程である。第１制御モードとは、制御切換え部３５ａによってフィードバック制御状態に、ＡＰＣ回路切換え部３５ｂによってＡＰＣ回路接続状態に、ＬＰＣ回路切換え部３５ｃによってＬＰＣ回路接続状態に切換えられたスイッチング状態と同義である。ステップａ１０では、マイコン１５が通信制御部４１とインターフェイス２８とを介して、切換え部３５を第１制御モードに切換えるべき第２のスイッチング情報が含まれる第２制御信号が切換え用レジスタ３６に伝送される。切換え用レジスタ３６は、第２制御信号を取得すると、第２のスイッチング情報を記憶保持する。切換え部３５は、切換え用レジスタ３６に記憶される第２のスイッチング情報に基いてスイッチング状態を第１制御モードに切換える。切換え部３５によって第１制御モードに切換えられると、ステップａ１０からステップａ１１へ移行する。
【００６０】
目標値設定工程であるステップａ１１、第１制御モードの際に光源１７が発するべきレーザ光の出力である目標値を制御用レジスタ２９に記憶保持させる工程である。ステップａ１１では、マイコン１５がＲＯＭ１３からレーザ出力調整データを取得し、ＡＰＣ回路２３およびＬＰＣ回路２７が正常である場合の目標値を算出する。マイコン１５は、算出された目標値を含む目標値制御信号を通信制御部４１およびインターフェイス２８を介して制御用レジスタ２９に伝送される。制御用レジスタ２９は、目標値制御信号を取得し、目標値を記憶し保持する。本実施の形態では、ステップａ１０とステップａ１１とは、別々に行われているけれども、略同時に行われてもよい。またステップａ１０とステップａ１１とが入れ替わってもよくこの順序に限定されない。制御用レジスタ２９に目標値が記憶保持されると、ステップａ１１からステップａ１２へ移行する。
【００６１】
第２レーザ光発光工程であるステップａ１２は、目標値に基づいてレーザ光を発光する工程である。ステップａ１２では、制御用レジスタ２９に記憶保持される目標値が含まれる制御信号がＬＰＣ回路加算器３７およびＡＰＣ回路加算器３８を介して電流ＤＡＣ部３９に伝送される。電流ＤＡＣ部３９は、制御信号に基づいて光源１７が目標値のレーザ光を発光させるための電流である第２出力信号を光源１７に伝送する。光源１７は、第２出力信号に基づいて略目標値のレーザ光を発する。レーザ光が発せられるとステップａ１２からステップａ１３ヘ移行する。
【００６２】
第１制御モード制御工程であるステップａ１３は、光源１７から発せられるレーザ光の出力を目標値にフィードバック制御する工程である。ステップａ１３では、発せられるレーザ光は、ディスク１２によって反射され、反射光としてフォトディテクタ２０によって取り込まれる。フォトディテクタ２０は、信号検出部２７と協働して前記反射光に基づいてフォトディテクタ値を検出する。このフォトディテクタ値を含むＬＰＣ回路信号がＬＰＣ回路ＡＤＣ部３３およびＬＰＣ回路切換え部３５ｃを介してＬＰＣ回路加算器３７に伝送される。ＬＰＣ回路加算器３７では、制御切換え部３５から伝送される目標値とＬＰＣ回路信号に基づくフォトディテクタ値との差分である第１差分値を算出する。ＬＰＣ回路加算器３７は、この第１差分値を含む第１フィードバック制御信号をＡＰＣ回路加算器３８に伝送する。また光源１７から発せられるレーザ光をＦＳダイオード１９によって直接受光し、ＦＳダイオード１９がＦＳダイオード値を検出する。ＦＳダイオード１９は、このＦＳダイオード値を含むＡＰＣ回路信号をＡＰＣ回路ＡＤＣ部３１およびＡＰＣ回路切換え部３５ｂを介してＡＰＣ回路加算器３８に伝送する。ＡＰＣ回路加算器３８では、第１フィードバック制御信号に基づく第１差分値とＡＰＣ回路信号に基づくフォトディテクタ値との差分である第２差分値を算出する。ＡＰＣ回路加算器３８は、この第２差分値を含む第２フィードバック制御信号を電流ＤＡＣ部３９に伝送する。ここでディスク１２に情報を記録する場合、データ処理部４０は、信号生成部４２から伝送される基準クロック信号および記録情報に基づく記録信号を生成し、電流ＤＡＣ部３９に伝送する。電流ＤＡＣ部３９では、この第２フィードバック制御信号および記録信号に基づいて、光源１７に与えるべき電流である第２出力信号を光源１７に伝送する。光源１７は、この第２出力信号に基づいてレーザ光を発する。このように第２出力信号に基づいて発せられるレーザ光は、ＡＰＣ回路２３およびＬＰＣ回路２７によって目標値にフィードバック制御されている。このようにレーザ光を発すると、ステップａ１３を繰返してフィードバック制御する。
【００６３】
第１レーザ光発光停止工程であるステップａ１４は、光源１７から発せられるレーザ光を停止する工程である。ステップａ１４では、マイコン１５は、ＬＰＣ回路信頼度を「異常」と判定すると、光源１７から発せられるレーザ光を停止する。このようにレーザ光の発光が停止されると、ステップａ１４からステップａ１５ヘ移行する。
【００６４】
光源異常報知工程であるステップａ１５は、表示部１６によって光源１７の信頼度が「異常」であることを報知する工程である。ステップａ１５では、マイコン１５が光源１７が異常であることを示す光源異常状態信号を表示部１６に伝送する。表示部１６は、光源異常状態信号に基づいて利用者に光源１７の信頼度が「異常」であることを報知する。本実施の形態では、表示部１６に「光源異常」を表示して利用者にＬＰＣ回路が異常であることを報知する。表示部１６に「光源異常」が表示されると、ステップａ１５からステップａ１６ヘ移行し、手順が終了する。本実施の形態では、ステップａ１４とステップａ１５とは、別々に行われているけれども、略同時に行われてもよい。またステップａ１４とステップａ１５とが入れ替わってもよくこの順序に限定されない。
【００６５】
第２レーザ光発光停止工程であるステップａ１７は、光源１７から発せられるレーザ光を停止する工程である。ステップａ１７では、マイコン１５は、ＬＰＣ回路信頼度を「異常」と判定すると、光源１７から発せられるレーザ光を停止する。このようにレーザ光の発光が停止されると、ステップａ１７からステップａ１８ヘ移行する。
【００６６】
ＬＰＣ回路異常報知工程であるステップａ１８は、表示部１６によってＬＰＣ回路が「異常」であることを報知する工程である。ステップａ１８では、マイコン１５がＬＰＣ回路２７が異常であることを示すＬＰＣ回路異常状態信号を表示部１６に伝送する。表示部１６は、ＬＰＣ回路異常状態信号に基づいて利用者にＬＰＣ回路２７が「異常」であることを報知する。本実施の形態では、表示部１６に「ＬＰＣ回路異常」を表示して利用者にＬＰＣ回路２７が異常であることを報知する。表示部１６に「ＬＰＣ回路異常」が表示されると、ステップａ１８からステップａ１９ヘ移行し、手順が終了する。本実施の形態では、ステップａ１７とステップａ１８とは、別々に行われているけれども、略同時に行われてもよい。またステップａ１７とステップａ１８とが入れ替わってもよくこの順序に限定されない。
【００６７】
ＡＰＣ回路異常報知工程であるステップａ２０は、ＡＰＣ回路２３が異常であることを報知する工程である。ステップａ２０では、マイコン１５がＡＰＣ回路２３の異常を示すＡＰＣ回路異常状態信号を表示部１６に伝送する。表示部１６は、ＡＰＣ回路異常状態信号に基づいて利用者にＡＰＣ回路２３が「異常」であることを報知する。本実施の形態では、表示部１６に「ＡＰＣ回路異常」を表示して利用者にＡＰＣ回路２３が異常であることを報知する。表示部１６に「ＡＰＣ回路異常」が表示されると、ステップａ２０からステップａ２１ヘ移行する。
【００６８】
第２制御モード切換え工程であるステップａ２１は、切換え部３５を第２制御モードに切換える工程である。第２制御モードとは、制御切換え部３５ａによってフィードバック制御状態に、ＡＰＣ回路切換え部３５ｂによってＡＰＣ回路非接続状態に、ＬＰＣ回路切換え部３５ｃによってＬＰＣ回路接続状態に切換えられたスイッチング状態と同義である。第１制御モードおよび第２制御モードのいずれかのスイッチング状態にある場合が第１のスイッチング状態と同義である。ステップａ２１では、マイコン１５は、通信制御部４１とインターフェイス２８とを介して、切換え部３５を第２制御モードに切換えるべき第３のスイッチング情報が含まれる第３制御信号を切換え用レジスタ３６に伝送する。切換え用レジスタ３６は、第３制御信号を取得すると、第３のスイッチング情報を記憶保持する。切換え部３５は、切換え用レジスタ３６に記憶される第３のスイッチング情報に基いてスイッチング状態を第２制御モードに切換える。切換え部３５が第２制御モードになると、ステップａ２１からステップａ２２へ移行する。
【００６９】
目標値設定工程であるステップａ２２、第１制御モードの際に光源１７が発するべきレーザ光の出力である目標値を制御用レジスタ２９に記憶保持させる工程である。ステップａ２２では、マイコン１５がＲＯＭ１３からレーザ出力調整データを取得し、目標値を算出する。このときマイコン１５は、ＡＰＣ回路２３が「異常」であると判定しているので、レーザ出力調整データに基いて、ＡＰＣ回路２３が「異常」である場合の目標値を算出する。この算出された目標値を含む目標値制御信号を、通信制御部４１およびインターフェイス２８を介して制御用レジスタ２９に伝送される。制御用レジスタ２９は、目標値制御信号を取得し、目標値を記憶し保持する。制御用レジスタ２９に目標値が記憶保持されると、ステップａ２２からステップａ２３へ移行する。
【００７０】
第３レーザ光発光工程であるステップａ２３は、目標値に基づいてレーザ光を発光する工程である。ステップａ２３では、制御用レジスタ２９に記憶保持される目標値が含まれる制御信号がＬＰＣ回路加算器３７およびＡＰＣ回路加算器３８を介して電流ＤＡＣ部３９に伝送される。電流ＤＡＣ部３９は、制御信号に基づいて光源１７が目標値のレーザ光を発光させるための電流である第２出力信号を光源１７に伝送する。光源１７は、第２出力信号に基づいて略目標値のレーザ光を発する。レーザ光が発せられるとステップａ２３からステップａ２４ヘ移行する。
【００７１】
第２制御モード制御工程であるステップａ２４は、光源１７から発せられるレーザ光の出力を目標値にフィードバック制御する工程である。ステップａ２４では、発せられるレーザ光は、ディスク１２によって反射され、反射光としてフォトディテクタ２０によって取り込まれる。フォトディテクタ２０は、信号検出部２６と協働して前記反射光に基づいてフォトディテクタ値を検出する。このフォトディテクタ値を含むＬＰＣ回路信号がＬＰＣ回路ＡＤＣ部３３およびＬＰＣ回路切換え部３５ｃを介してＬＰＣ回路加算器３７に伝送される。ＬＰＣ回路加算器３７では、制御切換え部３５ａから伝送される目標値とＬＰＣ回路信号に基づくフォトディテクタ値との差分である第１差分値を算出する。ＬＰＣ回路加算器３７は、この第１差分値を含む第１フィードバック制御信号がＡＰＣ回路加算器３８に伝送する。ＡＰＣ回路加算器３８に伝送される第１フィードバック制御信号は、ＡＰＣ回路２３が異常であるので、そのまま第２フィードバック制御信号として電流ＤＡＣ部３９に伝送される。ここでディスク１２に情報を記録する場合、データ処理部４０は、信号生成部４２から伝送される基準クロック信号および記録情報に基づく記録信号を生成し、電流ＤＡＣ部３９に伝送する。電流ＤＡＣ部３９では、この第２フィードバック制御信号および記録信号に基づいて、光源１７に与えるべき電流である第２出力信号を光源１７に伝送する。光源１７は、この第２出力信号に基づいてレーザ光を発する。このように第２出力信号に基づいて発せられるレーザ光は、ＡＰＣ回路２３およびＬＰＣ回路２７によって目標値にフィードバック制御されている。このようにレーザ光を発すると、ステップａ２４を繰返してフィードバック制御する。
【００７２】
ディスク駆動装置１０は、このような動作によってＡＰＣ回路２３およびＬＰＣ回路３７の信頼度を判定し、ＡＰＣ回路２３およびＬＰＣ回路２７またはＬＰＣ回路２７を用いて光源１７から発せられるレーザ光の出力を目標値にフィードバック制御する。以下では、このように動作するディスク駆動装置１０によって奏する効果について説明する。ＡＰＣ回路２３が光源１７から発せられるレーザ光を直接モニタリングしてレーザ光の出力をフィードバック制御することによって、レーザ光の出力が不所望に大きくなることを抑制することができる。したがってレーザ光の出力が大きくなることによって生じる光源１７の温度上昇が抑制され、光源１７の温度上昇に伴って起こるレーザ光の出力低下を抑制できる。換言すると、光源１７の破損および破壊を抑制できる。ＬＰＣ回路２７が反射光に基づいてフィードバック制御することによって、光源１７からのレーザ光の損失、ディスク１２の反射率の違いおよび埃などの付着によってフォトディテクタ値が低下する場合、このフォトディテクタ値の低下分を補正するようにレーザ光の出力をフィードバック制御可能に構成される。このようにフィードバック制御することによってフォトディテクタ２０が所期機能を確保可能な反射光をフォトディテクタ２０に受光させることができる。このようにＡＰＣ回路２３とＬＰＣ回路２７とを設けることによって、光源１７の破損および破壊を抑制するとともに、フォトディテクタ２０の所期機能を確保することができる。
【００７３】
マイコン１５が光源１７の信頼度を判定可能に構成されるので、表示部１６によって利用者は光源１７が不所望な状態であることを容易に知ることができる。また光源１７の信頼度に基づいてレーザ光の発光を停止する、または第１制御モードおよび第２制御モードのいずれか一方に切換えるので、ＡＰＣ回路２３およびＬＰＣ回路２７が不所望の状態で駆動することを防止できる。
【００７４】
マイコン１５がＡＰＣ回路２３およびＬＰＣ回路２７の信頼度を判定可能に構成されているので、ＡＰＣ回路２３およびＬＰＣ回路２７が不所望な状態で駆動することを抑制できる。ＡＰＣ回路２３およびＬＰＣ回路２７の信頼度が表示部１６に表示されて利用者に報知されるので、利用者は、ＡＰＣ回路２３およびＬＰＣ回路２７が「正常」であるか「異常」であるかを容易に判断することができる。これによってＡＰＣ回路２３およびＬＰＣ回路２７を修理すべき時期を容易に判断でき、さらにＡＰＣ回路２３およびＬＰＣ回路２７のいずれの回路を修理すべきかを容易に判断させることができる。
【００７５】
またマイコン１５がＡＰＣ回路およびＬＰＣ回路信頼度に基づいてレーザ光の発光を停止する、または第１制御モードおよび第２制御モードのいずれか一方に切換えるので、ＡＰＣ回路２３およびＬＰＣ回路２７が不所望の状態で駆動することを防止できる。たとえば従来では、ＬＰＣ回路が異常であってフォトディテクタ値が０の場合、ＬＰＣ回路がフォトディテクタの受光量を大きくするために光源から発せられるレーザ光の出力をフィードバック制御する。これによって光源から発せられるレーザ光の出力は、フィードバック制御し続けると異常に大きくなり光源の破損および破壊を招く。このとき本実施の形態のディスク駆動装置１０では、マイコン１５がＬＰＣ回路信頼度を「異常」と判定し、このような不所望の状態でのＬＰＣ回路２７でのフィードバック制御を防止する。同様にマイコン１５がＡＰＣ回路信頼度を「異常」と判定すると、ＡＰＣ回路２３が不所望な状態でフィードバック制御することを防止する。このようにＡＰＣ回路２３およびＬＰＣ回路２７が不所望な状態で駆動することを防止することによって、光源１７の破損および破壊を抑制することができる。換言すると、ＡＰＣ回路およびＬＰＣ回路信頼度が、第１または第２制御モードに切換えられる前に判定され異常を知ることができるので、光源１７を破損させ破壊させることを抑制できる。
【００７６】
ディスク駆動装置１０は、レーザ光の出力がテスト値の検査モードでＡＰＣ回路２３およびＬＰＣ回路２７の信頼度を判定するので、光源１７、ＡＰＣ回路２３およびＬＰＣ回路２７が検査モードで破損および破壊することがない。したがって検査モードで信頼度が「正常」を示す場合、確実にディスク駆動装置１０が所期機能を確保できる状態で駆動可能であることを知ることができる。したがってディスク駆動装置１０が不所望な状態で駆動することを確実に防止することができる。
【００７７】
本実施の形態では、ＡＰＣ回路２３およびＬＰＣ回路２７の２つのフィードバック制御が設けられているけれども、必ずしも２つに限定されない。たとえばＬＰＣ回路２７だけであってもよく、３つ以上のフィードバック制御を含んでもよく、レーザ光の出力をフィードバック制御可能であればよい。
【００７８】
本実施の形態では、光源１７、ＡＰＣ回路２３およびＬＰＣ回路２７の各信頼度を判定しているけれども、光源１７とＬＰＣ回路２７との信頼度および光源１７とＡＰＣ回路２３との信頼度を判定してもよい。光源１７とＬＰＣ回路２７との信頼度とは、ディスク駆動装置２０を駆動する場合に、光源１７とＬＰＣ回路２７とが協働して所期機能を発揮可能か否かを表す情報であり、所期機能を確保可能である場合、ＬＰＣ回路信頼度は「正常」を示し、所期機能を確保不可能である場合、ＬＰＣ回路信頼度は「異常」を示す。光源１７とＡＰＣ回路２３との信頼度とは、ディスク駆動装置２０を駆動する場合に、光源１７とＡＰＣ回路２３とが協働して所期機能を発揮可能か否かを表す情報であり、所期機能を確保可能である場合、ＡＰＣ回路信頼度は「正常」を示し、所期機能を確保不可能である場合、ＡＰＣ回路信頼度は「異常」を示す。このように光源１７、ＡＰＣ回路２３およびＬＰＣ回路２７の各信頼度を判定する場合に比べて、判定手順を少なくすることができる。これによって信頼度の判定を容易にすることができ、かつディスク駆動装置１０が駆動可能か否かを確実に報知することができる。また判定の手順を少なくすることができるので、ディスク駆動装置１０の構成を簡単化することができ、製造費を低減することができる。
【００７９】
本実施の形態では、光源１７の信頼度は、ＦＳダイオード値とフォトディテクタ値とに基いて判定されているけれども、必ずしもこのように判定するものに限定されない。たとえば、光源１７の出力特性と電流特性との関係、すなわちＩＬ特性をモニタリングためのモニタ素子を設け、モニタリングすることによって、光源１７の信頼度を判定してもよい。具体的には、マイコン１５が前記ＩＬ特性に基いて、キンクが発生していないかを判定する。キンクが発生していない場合、光源１７の信頼度は、「正常」であると判定され、キンクが発生する場合、光源１７の信頼度は、「異常」であると判定される。このようにして、光源１７の信頼度を判定することによって、確実に光源１７が駆動可能か否かを判定することができる。
【００８０】
さらに本実施の形態において、ＬＰＣ回路２７とマイコン１５とを協働させて、ＡＰＣ回路の代わりに光源１７の温度調整を行ってもよい。その具体的構成について以下に示す。マイコン１５は、フォトディテクタ２０がディスク１２から読み出すディスク１２の種別を示す種別情報を図示しない回路を介して取得する。マイコン１５は、この種別情報に基いて、ＲＯＭ１３と協働してディスク１２の種別を判定する。ディスク１２の種別の判定とは、たとえばＣＤまたはＤＶＤであることを判定することと同義である。マイコン１５は、ディスク１２の種別を判定すると、取得されるフォトディテクタ値に基いてＲＯＭ１３と協働して光源１７の温度を擬似的に検出可能に構成される。検出方法としては、たとえばマイコン１５が取得するフォトディテクタ値とディスク１２の種別に基いて、光源１７から発せられるレーザ光の出力および光源１７の温度を算出する。このようにＬＰＣ回路２７とマイコン１５とが協働してＡＰＣ回路２３の機能を達成することができると、ＡＰＣ回路２３が途中で切断などして故障した場合であっても、ＬＰＣ回路２７とマイコン１５によって代替することができる。したがってディスク駆動装置１０は、ＡＰＣ回路２３が故障している場合であっても、光源１７の温度補償、すなわち温度上昇による光源１７の破壊を防止することができ、所期機能を達成することができる。
【図面の簡単な説明】
【００８１】
【図１】本発明の実施の一形態であるディスク駆動装置１０の構成を概略示すブロック図である。
【図２】ディスク駆動装置１０に含まれる光ピックアップ１１の一部を拡大して示す平面図である。
【図３】ディスク駆動装置１０の動作を示すフローチャートである。
【図４】従来の技術のディスク駆動装置１の構成を概略示すブロック図である。
【符号の説明】
【００８２】
１０  ディスク駆動装置
１５  マイコン
１６  表示部
１７  光源
１８  駆動部
１９  ＦＳダイオード
２０  フォトディテクタ
２３  ＡＰＣ回路
２７  ＬＰＣ回
３５  切換え部
【図１】
2006012212.tif 000003
【図２】
2006012212.tif 000004
【図３】
2006012212.tif 000005
【図４】
2006012212.tif 000006